(57)【要約】【課題】通話チャネル数を適切かつ容易に設定することのできるキーテレホンを提供する。【解決手段】モデム２１は、通信事業者設備１０と回線１４で接続し、その回線１４のリンクスピードを測定する。メイン制御部２４は、モデム２１により測定されたリンクスピードから、その回線１４に設定可能な最大通話チャネル数を算出する。チャネル数制御部２３は、メイン制御部２４で算出された最大通話チャネル数を上限として、端末１３と通信事業者設備１０の間の通話チャネルを設定する。【選択図】図２
2007142541.tif 000002
【特許請求の範囲】
【請求項１】
収容している端末と通信事業者設備との間に通話チャネルを設定するキーテレホン装置であって、
前記通信事業者設備と回線で接続し、該回線のリンクスピードを測定するモデムと、
前記モデムにより測定された前記リンクスピードから、前記回線に設定可能な最大通話チャネル数を算出するメイン制御部と
前記メイン制御部で算出された前記最大通話チャネル数を上限として、前記端末と前記通信事業者設備の間の通話チャネルを設定するチャネル数制御部と、を有するキーテレホン装置。
【請求項２】
前記モデムは前記通信事業者設備に接続されると自動的に前記リンクスピードを測定して前記メイン制御部に通知し、前記メイン制御部は、前記モデムから前記リンクスピードの通知を受けると、該リンクスピードから前記最大通話チャネル数を算出し、前記チャネル数制御部に設定する、請求項１に記載のキーテレホン装置。
【請求項３】
前記モデムは前記通信事業者設備に接続されている間、定期的に前記リンクスピードを測定して前記メイン制御部に通知し、前記メイン制御部は、前記モデムから前記リンクスピードの通知を受ける毎に、該リンクスピードから前記最大通話チャネル数を算出し、前記チャネル数制御部に設定する、請求項１または２に記載のキーテレホン装置。
【請求項４】
前記モデムは前記通信事業者設備に接続されている状態で指示を受けたとき前記リンクスピードを測定して前記メイン制御部に通知し、前記メイン制御部は、前記モデムから前記リンクスピードの通知を受けると、該リンクスピードから前記最大通話チャネル数を算出し、前記チャネル数制御部に設定する、請求項１から３のいずれか１項に記載のキーテレホン装置。
【請求項５】
収容している端末と通信事業者設備との間に通話チャネルを設定するキーテレホン装置における通話チャネル数設定方法であって、
前記通信事業者との間の回線のリンクスピードを測定するステップと、
測定した前記リンクスピードから、前記回線に設定可能な最大通話チャネル数を算出するステップと、
前記端末と前記通信事業者設備の間に設定する通話チャネルの数の上限を、算出した前記最大通話チャネル数に設定するステップとを有する通話チャネル数設定方法。
【請求項６】
前記通信事業者設備に接続されると、自動的に前記リンクスピードを測定し、該リンクスピードから前記最大通話チャネル数を算出して設定する、請求項５に記載の通話チャネル数設定方法。
【請求項７】
前記通信事業者設備に接続されている間、定期的に前記リンクスピードを測定し、該リンクスピードから前記最大通話チャネル数を算出して設定する、請求項５または６に記載の通話チャネル数設定方法。
【請求項８】
前記通信事業者設備に接続されている状態で指示を受けたとき前記リンクスピードを測定し、該リンクスピードから前記最大通話チャネル数を算出して設定する、請求項５から７のいずれか１項に記載の通話チャネル数設定方法。
【発明の詳細な説明】
【技術分野】
【０００１】
本発明は、通信事業者設備と接続し、端末と通信事業者設備の間に通話チャネルを設定するキーテレホンに関する。
【背景技術】
【０００２】
ＶｏＩＰ（Ｖｏｉｃｅ  ｏｖｅｒ  ＩＰ）を用いて複数の端末の通信を接続するＩＰキーテレホンが注目されている（例えば特許文献１参照）。
【０００３】
ＩＰキーテレホンシステムは、利用者側の設備として、通信事業者の設備と接続する主装置と、その主装置に接続する複数の端末とを備えている。主装置は、例えばＡＤＳＬ（Ａｓｙｍｍｅｔｒｉｃ  Ｄｉｇｉｔａｌ  Ｓｕｂｓｃｒｉｂｅｒ  Ｌｉｎｅ）等のＢＢ（Ｂｒｏａｄｂａｎｄ）回線で通信事業者の設備に接続し、また複数の端末を収容する。主装置は、複数の端末のための通話チャネルをＢＢ回線に設定することができる。端末は、例えば電話機であり、主装置を介して通信事業者と接続し、ＶｏＩＰによる通話を実現する。
【０００４】
主装置がＢＢ回線に同時に設定することのできる通話チャネルの最大数は、通信事業者設備と主装置の有するＢＢモデムとの間のリンクスピード（回線速度）に依存する。リンクスピードは、主装置と通信事業者設備の間の距離などの要因により一定しない。
【０００５】
リンクスピードに対して通話チャネル数が多すぎれば通話品質に劣化が生じる。一方、リンクスピードに対して通話チャネル数が少なすぎればＢＢ回線の通信容量が有効に利用されない状態となる。そのため、ＩＰキーテレホンではＢＢ回線のリンクスピードを測定し、測定結果に基づいて最適な最大通話チャネル数が設定される。
【特許文献１】特開２００４−１８６８９３号公報
【発明の開示】
【発明が解決しようとする課題】
【０００６】
従来のＩＰキーテレホンシステムでは、施設する業者がＢＢ回線のリンクスピードを測定し、その測定結果から最適な通話チャネル数を求め、主装置に設定していた。そして、その測定および設定が煩雑であり、作業に時間がかかることもあった。また、その作業工数がコストアップの原因にもなっていた。
【０００７】
また、設定作業を簡略化するため、設置場所等から予めリンクスピードを予測して固定的に通話チャネル数を設定しておくことも行なわれていた。しかし、リンクスピードの予測値と実際値にずれがあれば適切な通話チャネル数が設定されず、通話品質の劣化や通信容量の非効率な利用の原因となっていた。
【０００８】
本発明の目的は、通話チャネル数を適切かつ容易に設定することのできるキーテレホンを提供することである。
【課題を解決するための手段】
【０００９】
上記目的を達成するために、本発明のキーテレホン装置は、
収容している端末と通信事業者設備との間に通話チャネルを設定するキーテレホン装置であって、
前記通信事業者設備と回線で接続し、該回線のリンクスピードを測定するモデムと、
前記モデムにより測定された前記リンクスピードから、前記回線に設定可能な最大通話チャネル数を算出するメイン制御部と
前記メイン制御部で算出された前記最大通話チャネル数を上限として、前記端末と前記通信事業者設備の間の通話チャネルを設定するチャネル数制御部とを有している。
【００１０】
本発明によれば、回線のリンクスピードに対して適切な最大通話チャネル数を容易に設定することができる。
【００１１】
また、前記モデムは前記通信事業者設備に接続されると自動的に前記リンクスピードを測定して前記メイン制御部に通知し、前記メイン制御部は、前記モデムから前記リンクスピードの通知を受けると、該リンクスピードから前記最大通話チャネル数を算出し、前記チャネル数制御部に設定することとしてもよい。
【００１２】
これによれば、主装置を回線に接続するだけで容易に適切な最大通話チャネル数の設定を行なうことができる。
【００１３】
また、前記モデムは前記通信事業者設備に接続されている間、定期的に前記リンクスピードを測定して前記メイン制御部に通知し、前記メイン制御部は、前記モデムから前記リンクスピードの通知を受ける毎に、該リンクスピードから前記最大通話チャネル数を算出し、前記チャネル数制御部に設定することとしてもよい。
【００１４】
これによれば、リンクスピードに変化が起きても常に適切な最大通話チャネル数を設定しておくことができる。
【００１５】
また、前記モデムは前記通信事業者設備に接続されている状態で指示を受けたとき前記リンクスピードを測定して前記メイン制御部に通知し、前記メイン制御部は、前記モデムから前記リンクスピードの通知を受けると、該リンクスピードから前記最大通話チャネル数を算出し、前記チャネル数制御部に設定することとしてもよい。
【００１６】
これによれば、業者が意図するときに容易に適切な最大通話チャネル数の設定を行なうことができる。
【発明の効果】
【００１７】
本発明によれば、回線のリンクスピードに対して適切な最大通話チャネル数を容易に設定することができる。
【発明を実施するための最良の形態】
【００１８】
本発明を実施するための形態について図面を参照して詳細に説明する。
【００１９】
図１は、本発明の一実施形態によるキーテレホンシステムの構成を示すブロック図である。図１を参照すると、本実施形態のキーテレホンシステム１１は主装置１２および複数の端末１３を有している。
【００２０】
主装置１２は、例えばＡＤＳＬ等のＢＢ回線１４で通信事業者設備１０に接続し、また複数の端末１３を収容する。通信事業者設備１０とは、例えばＡＤＳＬを終端する局側の装置を指す。
【００２１】
主装置１２は、複数の端末１３のための通話チャネルをＢＢ回線１４に設定することができる。ＢＢ回線１４上に設定可能な通話チャネルの最大数（以下「最大通話チャネル数」という）は設定により定められる。主装置１２は、通信事業者設備１０と接続された状態でＢＢ回線１４のリンクスピードを測定し、その測定結果から最適な最大通話チャネル数を求め、その値を自身に設定する。
【００２２】
端末１３は、例えば電話機であり、主装置１２を介して通信事業者設備１０と接続し、発呼あるいは着呼によりＶｏＩＰの通話を利用者に提供する。本発明とは直接に関係しないが端末１３同士の内線通話が可能であってもよい。
【００２３】
図２は、本実施形態の主装置の構成を示すブロック図である。図２を参照すると、主装置１２は、ＢＢモデム２１、メディアゲートウェイ２２、チャネル数制御部２３、およびメイン制御部２４を有している。
【００２４】
ＢＢモデム２１は、通信事業者設備１０とＢＢ回線１４で接続し、メディアゲートウェイ２２とＬＡＮで接続している。そして、ＢＢモデム２１は、メディアゲートウェイ２２と送受信する圧縮音声信号のパケットと、通信事業者設備１０と送受信するＡＤＳＬ信号との間の変調および復調を行なう。また、ＢＢモデム２１は、通信事業者設備１０との間のリンクスピードを測定し、その測定結果をメイン制御部２４に通知する。
【００２５】
メディアゲートウェイ２２は、ＢＢモデム２１とＬＡＮで接続し、チャネル数制御部２３とも接続している。そして、メディアゲートウェイ２２は、チャネル数制御部２３と送受信する音声信号と、ＢＢモデム２１と送受信する圧縮音声信号との間の圧縮および伸長を行う。
【００２６】
チャネル数制御部２３は、複数の端末１３と接続し、またメディアゲートウェイ２２とも接続し、その間のスイッチ機能を有している。そして、チャネル数制御部２３は、発呼または着呼により端末１３と通信事業者設備１０を介した相手側端末（不図示）との間の通話チャネルを設定する。その際、チャネル数制御部２３は、メイン制御部２４によって設定された最大通話チャネル数まで通話チャネルを設定することができる。
【００２７】
メイン制御部２４は、主装置２２の各部を制御するメインの制御部である。そして、メイン制御部２４は、ＢＢモデム２１からリンクスピードの測定値の通知を受けると、その測定値に基づいて適切な最大通話チャネル数を算出し、その算出値をチャネル数制御部２３に設定する。
【００２８】
図３は、本実施形態の主装置の最大通話チャネル数を設定するときの動作を示すフローチャートである。図３を参照すると、主装置１２は、通信事業者設備１０に接続されると、ＢＢモデム２１にてＢＢ回線１４のリンクスピードを測定する（ステップ１０１）。
【００２９】
次に、主装置１２は、メイン制御部２４にて、リンクスピードの測定値に基づいて適切な最大通話チャネル数を算出する（ステップ１０２）。
【００３０】
最後に、主装置１２は、メイン制御部２４からチャネル数制御部２３へ最大通話チャネル数を設定する（ステップ１０３）。
【００３１】
以上説明したように、本実施形態によれば、ＢＢ回線１４のリンクスピードに対して適切な最大通話チャネル数を容易に設定することができる。
【００３２】
なお、本実施形態において、一例として、主装置１２は、リンクスピードの測定から最大通話チャネル数の設定までの一連の処理を通信事業者設備１０に接続したときに自動的に開始するとしてもよい。これによれば、主装置１２をＢＢ回線１４に接続するだけで容易に適切な最大通話チャネル数の設定を行なうことができる。
【００３３】
また、主装置１２は、通信事業者設備１０に接続している間は定期的にこの一連の処理を行なうこととしてもよい。これによれば、リンクスピードに変化が起きても常に適切な最大通話チャネル数を設定しておくことができる。
【００３４】
また、他の例として、主装置１２は、通信事業者設備１０と接続している状態で端末１３からの設定指示があったときにこの一連の処理を行うこととしてもよい。これによれば、業者が意図するときに容易に適切な最大通話チャネル数の設定を行なうことができる。
【００３５】
また、主装置１２は、端末１３からの指示の代わりに、業者用の専用端末（不図示）からの指示、または主装置１２の操作部（不図示）に対する操作による指示によって一連の処理を行うこととしてもよい。
【図面の簡単な説明】
【００３６】
【図１】本発明の一実施形態によるキーテレホンシステムの構成を示すブロック図である。
【図２】本実施形態の主装置の構成を示すブロック図である。
【図３】本実施形態の主装置の最大通話チャネル数を設定するときの動作を示すフローチャートである。
【符号の説明】
【００３７】
１０    通信事業者設備
１１    キーテレホンシステム
１２    主装置
１３    端末
１４    ＢＢ回線
２１    ＢＢモデム
２２    メディアゲートウェイ
２３    チャネル数制御部
２４    メイン制御部
１０１〜１０３    ステップ
【図１】
2007142541.tif 000003
【図２】
2007142541.tif 000004
【図３】
2007142541.tif 000005